(57)【要約】【課題】  能動的にスイートスポット及びクロストークキャンセレーション調節が可能な２チャンネル仮想音響再生方法及びその装置を提供する。【解決手段】  広帯域信号を受音してバンド別応答特性に対する補正フィルター係数及びスペクトル分析による立体音響学的伝達関数を設定し、入力されるマルチチャンネル信号を、ニアフィールド及びファーフィールドで測定されたヘッド伝達関数を付加して２チャンネルの信号にダウンミックスし、設定された立体音響学的伝達関数を反映した補正フィルター係数に基づいてダウンミックスされた信号のクロストークをキャンセルし、バンド別補正フィルター係数に基づいて前記クロストークキャンセルされた信号の応答特性を補正する過程を含むオーディオシステムの仮想音響再生方法。【選択図】  図１
2005184837.tif 000002
【特許請求の範囲】
【請求項１】
オーディオシステムの仮想音響再生方法において、
（ａ）広帯域信号を受音してバンド別応答特性に対する補正フィルター係数及びスペクトル分析による立体音響学的伝達関数を設定する過程と、
（ｂ）入力されるマルチチャンネル信号を、ニアフィールド及びファーフィールドで測定されたヘッド伝達関数を付加して２チャンネルの信号にダウンミックスする過程と、
（ｃ）前記設定された立体音響学的伝達関数を反映した補正フィルター係数に基づいて前記ダウンミックスされた信号のクロストークをキャンセルする過程と、
（ｄ）前記設定されたバンド別補正フィルター係数に基づいて前記クロストークキャンセルされた信号の応答特性を補正する過程と、を含む仮想音響再生方法。
【請求項２】
前記（ａ）過程で補正フィルター係数設定過程は、
（ａ−１）広域信号及びインパルス信号に基づいてスピーカー応答特性を測定する過程と、
（ａ−２）前記過程で測定された広域信号のスピーカー応答特性をＮ個のバンド別にバンドパスフィルタリングする過程と、
（ａ−３）前記過程でフィルタリングされた各バンド別周波数に対する平均エネルギーレベルを計算する過程と、
（ａ−４）前記過程で計算された平均エネルギーレベルを利用して各バンド別に補正するレベルを計算する過程と、
（ａ−５）前記過程で計算された各バンド別補正レベルに基づいてバンド別レベル補正フィルター係数を設定する過程と、を含むことを特徴とする請求項１に記載の仮想音響再生方法。
【請求項３】
前記（ａ）過程で補正フィルター係数設定過程は、
（ａ−６）左右スピーカーのインパルス応答特性を測定する過程と、
（ａ−７）前記過程で測定された左右チャンネル間スピーカーインパルス信号に対するディレイ時間を測定する過程と、
（ａ−８）前記過程で測定されたチャンネル間ディレイ時間に基づいて位相補正フィルター係数を設定する過程と、を含むことを特徴とする請求項１に記載の仮想音響再生方法。
【請求項４】
前記（ａ）過程の音響学的伝達関数設定過程は、２つのマイクから受音された信号を利用してスピーカーと聴取者の両耳間の立体音響学的伝達関数を設定する過程であることを特徴とする請求項１に記載の仮想音響再生方法。
【請求項５】
前記（ａ）過程の補正フィルター係数はＦＩＲフィルター係数であることを特徴とする請求項１に記載の仮想音響再生方法。
【請求項６】
前記（ｂ）過程は、ニアフィールド及びファーフィールドで測定されたヘッド伝達関数を組合わせるものであることを特徴とする請求項１に記載の仮想音響再生方法。
【請求項７】
前記（ｃ）過程の補正フィルター係数の行列は、両スピーカーと両耳間の音響学伝達関数の行列の逆行列であることを特徴とする請求項１に記載の仮想音響再生方法。
【請求項８】
前記（ｄ）過程は、バンド別補正フィルター係数に基づいて信号レベル及び位相を補正する過程であることを特徴とする請求項１に記載の仮想音響再生方法。
【請求項９】
仮想音響再生装置において、
複数チャンネルのオーディオ信号にヘッド伝達関数を付加して２チャンネルのオーディオ信号にダウンミックスするダウンミックス手段と、
前記ダウンミックス手段でダウンミックスされた２チャンネルのオーディオ信号を、音響学的伝達関数を反映したトランスオーラルフィルター係数によりクロストークフィルタリングするクロストークキャンセレーション手段と、
広帯域信号を受音してバンド別信号レベル及び遅延に対する補正フィルター係数と、スペクトル分析による前記音響学的伝達関数とを生成し、前記補正フィルター係数を利用して、前記クロストークキャンセレーション手段から出力される２チャンネルのオーディオ信号の空間内周波数特性を補正する空間補正手段と、を含む仮想音響再生装置。
【請求項１０】
前記クロストークキャンセレーション手段は、二つのマイクから受音された信号に基づいてスピーカーと聴取者の両耳間の音響学的伝達関数を生成する立体音響係数生成部と、
前記立体音響係数生成部で生成された音響学的伝達関数に基づいて補正フィルター係数を設定し、前記ダウンミックスされた２チャンネルのオーディオ信号をフィルタリングするフィルター部と、を含むことを特徴とする請求項９に記載の仮想音響再生装置。
【請求項１１】
前記空間補正手段は、左右スピーカーから左右マイクに受音された広帯域信号をバンド別にバンドパスフィルタリングするバンドパスフィルターと、
前記バンドパスフィルターでバンドパスフィルタリングされた信号を、バンド別にそのレベル及び位相を補正する補正フィルター係数を生成する補正器と、
前記補正器で生成されたバンド別補正フィルター係数を適用して入力されるオーディオ信号の周波数特性を平坦に補正するブーストフィルターと、を含むことを特徴とする請求項９に記載の仮想音響再生装置。
【請求項１２】
前記空間補正手段は、
左右スピーカーを通じて左右マイクに受音された広帯域信号に対するスペクトルを分析して、スピーカーと聴取者の両耳間の立体音響的伝達関数を生成する周波数スペクトル部を含むことを特徴とする請求項９に記載の仮想音響再生装置。
【請求項１３】
前記クロストークキャンセレーション手段のトランスオーラルフィルターは、ＩＩＲフィルター及びＦＩＲフィルターのうちいずれか一つであることを特徴とする請求項９に記載の仮想音響再生装置。
【請求項１４】
前記空間補正部の補正フィルターは、ＩＩＲフィルター及びＦＩＲフィルターのうちいずれか一つであることを特徴とする請求項９に記載の仮想音響再生装置。
【請求項１５】
オーディオ再生システムにおいて、
広帯域信号を受信してバンド別レベル及び位相補正フィルター係数とスペクトル分析による音響学的伝達関数とを設定し、入力されるマルチチャンネル信号にニアフィールド及びファーフィールドで測定されたヘッド伝達関数を付加して２チャンネルの信号にダウンミックスし、前記音響学的伝達関数を反映した補正フィルター係数に基づいて前記ダウンミックスされた信号のクロストークをキャンセルし、前記バンド別補正フィルター係数に基づいて前記クロストークキャンセルされた信号のレベル及び位相を補正する仮想音響再生器と、
前記デジタル信号プロセッサーで補正されたオーディオ信号を所定大きさに増幅するアンプと、を含むオーディオ再生システム。
【請求項１６】
広域信号を出力する左右スピーカーと、
前記左右スピーカーから広域信号を受信して前記仮想音響再生器に入力させる左右マイクと、をさらに含む請求項１５に記載のオーディオ再生システム。
【発明の詳細な説明】
【技術分野】
【０００１】
本発明はオーディオ再生システムに係り、特に能動的にスイートスポット及びクロストークキャンセレーション調節が可能な２チャンネル仮想音響再生方法及びその装置に関する。
【背景技術】
【０００２】
通常的に、仮想音響再生システムは２つのスピーカーのみを利用して５．１チャンネルシステムのようなサラウンド音響効果を提供する。
このような仮想音響再生システムに関連した技術が特許文献１及び２に開示されている。
従来の仮想音響再生システムに関連した技術を見れば、マルチチャンネルのオーディオ信号は、ファーフィールドのヘッド伝達関数（Ｈｅａｄ Ｒｅｌａｔｅｄ Ｔｒａｎｓｆｅｒ Ｆｕｎｃｔｉｏｎ：ＨＲＴＦ）を利用して２チャンネルのオーディオ信号にダウンミックスされる。次いで、この２チャンネルのオーディオ信号は、クロストークキャンセレーションアルゴリズムが適用された左及び右の耳伝達関数Ｈ１（ｚ）＆Ｈ２（ｚ）によってデジタルフィルタリングされる。次いで、そのフィルタリングされたオーディオ信号は、デジタル−アナログ変換部（Ｄｉｇｉｔａｌ−ｔｏ−Ａｎａｌｏｇ Ｃｏｎｖｅｒｔｅｒ：ＤＡＣ）を通じてアナログオーディオ信号に変換される。次いで、アナログオーディオ信号は、アンプを通じて増幅されて２チャンネルスピーカーである左右チャンネルにそれぞれ出力される。最終的に２チャンネルオーディオ信号は３Ｄオーディオデータを持っているので、聴取者にサラウンドサウンド効果を感じさせる。
【０００３】
しかし、従来のファーフィールドＨＲＴＦを利用した２チャンネル仮想音響再生技術では、人間の頭中心から１Ｍ以上離れた所で測定されたＨＲＴＦを使用する。したがって、従来の仮想音響技術は、サウンドソースが位置した方向に対しては正確な音響情報を提供する一方、サウンドソースの前後及び高低に関する音響情報を区分できない問題点があった。また、従来の２チャンネル仮想音響再生技術は、使用するスピーカーの周波数特性が平坦であるという仮定下で開発されたものであり、実際平坦でない周波数特性を持つ劣るスピーカーを使用する場合や、スピーカーが設置される聴取空間のルームアコースティックによる影響でスピーカーの周波数特性が平坦でない場合、仮想音響効果が急激に落ちる短所がある。また、従来の仮想音響技術は、聴取者が２個のスピーカーの中央に位置したスイートスポット領域から少しだけ離脱しても仮想音響効果が急激に落ちる短所があった。また、従来の仮想音響技術は、クロストークキャンセレーションアルゴリズムを一般的なスピーカー配置構造のみに合せて設計するため、他のスピーカー配置構造についてはクロストークキャンセレーション効果が急激に落ちる短所がある。
【特許文献１】ＷＯ ９９／４９５７４（ＰＣＴ／ＡＵ９９／００００２ ｆｉｌｅｄ ６ Ｊａｎ．１９９９ ｅｎｔｉｔｌｅｄ ＡＵＤＩＯ ＳＩＧＮＡＬ ＰＲＯＣＥＳＳＩＮＧ ＭＥＴＨＯＤ ＡＢＤ ＡＰＰＡＲＡＴＵＳ）
【特許文献２】ＷＯ ９７／３０５６６（ＰＣＴ／ＧＢ９７／００４１５ ｆｉｌｅｄ １４ Ｆｅｂ．１９９７ ｅｎｔｉｔｌｅｄ ＳＯＵＮＤ ＲＥＣＯＲＤ ＡＮＤ ＲＥＰＲＯＤＵＣＴＩＯＮ ＳＹＳＴＥＭＳ）
【発明の開示】
【発明が解決しようとする課題】
【０００４】
本発明が解決しようとする技術的課題は、聴取位置での音響的特性を補正できる空間補正技術と２チャンネル仮想音響技術とを結合して能動的にスイートスポット及びクロストークキャンセレーション調節が可能な仮想音響再生方法及びその装置に関する。
【課題を解決するための手段】
【０００５】
前記の技術的課題を解決するために本発明は、オーディオシステムの仮想音響再生方法において、（ａ）広帯域信号を受音してバンド別応答特性に対する補正フィルター係数及びスペクトル分析による立体音響学的伝達関数を設定する過程と、（ｂ）入力されるマルチチャンネル信号を、ニアフィールド及びファーフィールドで測定されたＨＲＴＦを付加して２チャンネルの信号にダウンミックスする過程と、（ｃ）前記設定された立体音響学的伝達関数を反映した補正フィルター係数に基づいて前記ダウンミックスされた信号のクロストークをキャンセルする過程と、（ｄ）前記設定されたバンド別補正フィルター係数に基づいて前記クロストークキャンセルされた信号の応答特性を補正する過程と、を含むことを特徴とする。
【０００６】
前記の他の技術的課題を解決するために本発明は、仮想音響再生装置において、複数チャンネルのオーディオ信号にＨＲＴＦを付加して２チャンネルのオーディオ信号にダウンミックスするダウンミックス手段と、前記ダウンミックス手段でダウンミックスされた２チャンネルのオーディオ信号を、音響学的伝達関数を反映したトランスオーラルフィルター係数によりクロストークフィルタリングするクロストークキャンセレーション手段と、広帯域信号を受音してバンド別信号レベル及び遅延に対する補正フィルター係数と、スペクトル分析による前記音響学的伝達関数とを生成し、前記クロストークキャンセレーション手段から出力される２チャンネルのオーディオ信号を、前記補正フィルターを利用してその空間内周波数特性を補正する空間補正手段と、を含むことを特徴とする。
【０００７】
前記のさらに他の技術的課題を解決するために本発明は、オーディオ再生システムにおいて、広帯域信号を受信してバンド別レベル及び位相補正フィルター係数とスペクトル分析による音響学的伝達関数とを設定し、入力されるマルチチャンネル信号にニアフィールド及びファーフィールドで測定されたＨＲＴＦを付加して２チャンネルの信号にダウンミックスし、前記音響学的伝達関数を反映した補正フィルター係数に基づいて前記ダウンミックスされた信号のクロストークをキャンセルし、前記バンド別補正フィルター係数に基づいて前記クロストークキャンセルされた信号のレベル及び位相を補正する仮想音響再生器と、前記デジタル信号プロセッサーで補正されたオーディオ信号を所定大きさに増幅するアンプと、を含むことを特徴とする。
【発明の効果】
【０００８】
本発明によれば、従来技術では、両スピーカーからの５．１チャンネルが提供するサラウンド効果をスイートスポット領域でのみ最適に感じられる一方、スイートスポット領域を離脱した位置では仮想サラウンド効果が急激に落ちる問題点があった。しかし、本発明ではスイートスポットを任意の位置に能動的に調節できるため、聴取者がどこに位置しても最適の２チャンネル仮想音響サラウンド効果を楽しめるようにする。また、空間補正を通じて以下の図７に図示されるように、スピーカーの周波数特性を平坦にさせることによって仮想音響効果を既存より倍加させる利点もあり、また、以下の図８に図示されるように、二つのマイクを使用してスピーカー配置角度と聴取者間の位置が変化するとしても、クロストークキャンセレーションを通じて能動的にその変化量を補正することによって仮想音響効果も大きく高めうる。
【発明を実施するための最良の形態】
【０００９】
以下添付された図面を参照して本発明の望ましい実施例を説明する。
図１は、本発明によるオーディオ再生システムのブロック図である。
図１のオーディオ再生システムは、仮想音響再生装置１００、左右アンプ部１７０、１７５、左右スピーカー１８０、１８５、左右マイク１９０、１９５で構成される。仮想音響再生装置１００は、ドルビプロロジックデコーダ１１０、オーディオデコーダ１２０、ダウンミックス部１３０、クロストークキャンセレーション部１４０、空間補正部１５０、ＤＡＣ １６０を具備する。
【００１０】
まず、ドルビプロロジックデコーダ１１０は、入力される２チャンネルドルビプロロジックオーディオ信号を、５．１チャンネル（左フロントチャンネル、右フロントチャンネル、中央フロントチャンネル、左サラウンドチャンネル、右サラウンドチャンネル、低周波効果チャンネル）のデジタルオーディオ信号にデコーディングする。
【００１１】
オーディオデコーダ１２０は、入力されるマルチチャンネルのオーディオビットストリームを５．１チャンネル（左フロントチャンネル、右フロントチャンネル、中央フロントチャンネル、左サラウンドチャンネル、右サラウンドチャンネル、低周波効果チャンネル）のデジタルオーディオ信号にデコーディングする。
【００１２】
ダウンミックス部１３０は、ドルビプロロジックデコーダ１１０またはオーディオデコーダ１２０から出力される５．１チャンネルオーディオ信号にＨＲＴＦを利用した方向情報を付加して２チャンネルオーディオ信号にダウンミックスする。この時、方向情報はニアフィールド及びファーフィールドで測定されたＨＲＴＦを組合わせる。図２でダウンミックス部の詳細図を見れば、５．１チャンネルオーディオ信号が入力される。５．１チャンネルは左フロントチャンネル、右フロントチャンネル、中央フロントチャンネル、左サラウンドチャンネル、右サラウンドチャンネル、低周波効果チャンネルである。各チャンネルに対して左右インパルス応答関数が実施(conduct)される。したがって、左フロントチャンネル２に対して、該当左フロントインパルス応答関数４の出力は左フロント信号３とコンボリューション６される。その左フロントインパルス応答関数４は、理想的の位置に置かれた左フロントチャンネルスピーカーから出力される理想的なスパイクで左耳に受信されるインパルス応答であって、ニアフィールド及びファーフィールドで測定されたＨＲＴＦを組合わせる。ここで、ニアフィールド及びファーフィールドＨＲＴＦは、頭中心から１Ｍ以内及び１Ｍ以上離れた距離で測定された伝達関数である。出力信号７は、ヘッドホンのための左チャンネル信号１０に合わせられる。同様に、右チャンネルスピーカーのための右耳に対する該当インパルス応答関数５の出力は、右チャンネル信号１１に合わせられる出力信号９を発生させるために左フロント信号３とコンボリューション８される。したがって、図２の配列は、５．１チャンネル信号に対して約１２個のコンボリューション段階を必要とする。結局、５．１チャンネルの信号は、ニアフィールド及びファーフィールドで測定されたＨＲＴＦを組合わせてダウンミックスされることにより、２チャンネル信号で再生されてもマルチチャンネルで再生される時と同じサラウンド効果を奏することができる。
【００１３】
クロストークキャンセレーション部１４０は、ダウンミックスされた２チャンネルのオーディオ信号をクロストークキャンセレーションアルゴリズムが適用されたトランスオーラルフィルター係数Ｈ１１（Ｚ）、Ｈ２１（Ｚ）、Ｈ１２（Ｚ）、Ｈ２２（Ｚ）を通じてデジタルフィルタリングする。ここで、クロストークキャンセレーションアルゴリズムは、空間補正部１５０でスペクトル分析により生成された音響学的伝達関数Ｃ１１（Ｚ）、Ｃ２１（Ｚ）、Ｃ１２（Ｚ）、Ｃ２２（Ｚ）を利用してクロストークキャンセルのための補正フィルター係数Ｈ１１（Ｚ）、Ｈ２１（Ｚ）、Ｈ１２（Ｚ）、Ｈ２２（Ｚ）を設定する。
【００１４】
空間補正部１５０は、左右スピーカー１８０、１８５及び左右マイク１９０、１９５を通じて広帯域信号を受音して、バンド別周波数特性及び遅延に対する補正フィルター係数とスペクトル分析による音響学的伝達関数Ｃ１１（Ｚ）、Ｃ２１（Ｚ）、Ｃ１２（Ｚ）、Ｃ２２（Ｚ）とを生成し、クロストークキャンセレーション部１４０から出力される２チャンネルオーディオ信号を、補正フィルター係数を使用して聴取空間内の左／右フロントスピーカーと聴取者間の信号ディレイ、信号レベルのような周波数特性を補正する。この時、補正フィルターは、ＩＩＲ（Ｉｎｆｉｎｉｔｅ Ｉｍｐｕｌｓｅ Ｒｅｓｐｏｎｓｅ）フィルターまたはＦＩＲ（Ｆｉｎｉｔｅ Ｉｍｐｕｌｓｅ Ｒｅｓｐｏｎｓｅ）フィルターを利用する。
【００１５】
ＤＡＣ １６０は、空間補正部１５０で空間補正された左右チャンネルのオーディオ信号をアナログオーディオ信号に変換する。
左右アンプ部１７０、１７５は、デジタル−アナログ変換部１６０で変換されたアナログオーディオ信号を増幅させて左右スピーカー１８０、１８５に出力する。
【００１６】
図３は、図１のクロストークキャンセレーション部１４０のトランスオーラルフィルター具現方法を示したものである。
図３を参照すれば、ｙ１（ｎ）及びｙ２（ｎ）は、両スピーカーを通じて聴取者の右側及び左側耳で最終的に再生される音値である。ｓ１（ｎ）及びｓ２（ｎ）は、スピーカーに入力される音値である。Ｃ１１（Ｚ）、Ｃ２１（Ｚ）、Ｃ１２（Ｚ）、Ｃ２２（Ｚ）は、広帯域信号を受音してスペクトル分析により計算された音響学的伝達関数である。
【００１７】
聴取者は、この音値ｙ１（ｎ）及びｙ２（ｎ）を聞けば仮想の立体音を感じる。両スピーカーと両耳間には４つの音響学的空間が存在するので、両スピーカーでそれぞれ音値ｙ１（ｎ）及びｙ２（ｎ）を再生すれば、実際に耳に到達する音は、元の音値ｙ１（ｎ）及びｙ２（ｎ）値でない他の音値である。したがって、左スピーカー（または右スピーカー）で再生される信号が聴取者の左耳（または右耳）で聞こえないようにクロストークキャンセレーションを具現せねばならない。
【００１８】
まず、図３のクロストークキャンセレーションシステムを見れば、立体音響再生システム３２０は、二つのマイクから受音された信号を利用してスピーカーと聴取者の両耳間の音響学的伝達関数Ｃ１１（Ｚ）、Ｃ２１（Ｚ）、Ｃ１２（Ｚ）、Ｃ２２（Ｚ）を計算する。トランスオーラルフィルター３１０には、音響学的伝達関数に基づいた補正フィルター係数Ｈ１１（Ｚ）、Ｈ２１（Ｚ）、Ｈ１２（Ｚ）、Ｈ２２（Ｚ）が設定される。
【００１９】
次いで、クロストークキャンセレーションに対するアルゴリズムを説明すれば、ｙ１（ｎ）及びｙ２（ｎ）、ｓ１（ｎ）及びｓ２（ｎ）は式(1)及び式(2)のように表すことができる。
【００２０】
【数１】
2005184837.tif 000003
【００２１】
【数２】
2005184837.tif 000004
【００２２】
次いで、式(3)及び式(4)のように、トランスオーラルフィルターの行列Ｈ（ｚ）が両スピーカーと両耳間の音響学伝達関数の行列Ｃ（ｚ）の逆行列になるように設計すれば、音値ｙ１（ｎ）及びｙ２（ｎ）はそれぞれ入力音値ｘ１（ｎ）及びｘ２（ｎ）になる。したがって、音値ｙ１（ｎ）及びｙ２（ｎ）にそれぞれ入力音値ｘ１（ｎ）及びｘ２（ｎ）を代入すれば、両スピーカーの入力値ｓ１（ｎ）及びｓ２（ｎ）は数式２のように決定され、聴取者は仮想の声ｙ１（ｎ）及びｙ２（ｎ）を聞く。
【００２３】
【数３】
2005184837.tif 000005
【００２４】
【数４】
2005184837.tif 000006
【００２５】
図４は、図１の空間補正部１５０の詳細ブロック図である。
ノイズ発生器４１２は、広帯域信号及びインパルス信号を発生させる。バンドパスフィルター４３４〜４３８は、左右スピーカー１８０、１８５から左右マイク１９０、１９５に受音された広帯域信号をＮ個バンド別にバンドパスフィルタリングする。レベル及び位相補正器４２４〜４２８は、バンドパスフィルター４３４〜４３８でバンドパスフィルタリングされた信号の各バンド別にレベル及び位相を補正する補正フィルター係数を生成する。ブーストフィルター４１４〜４１８は、レベル及び位相補正器４２４〜４２８で発生するバンド別補正フィルター係数を適用して入力されるオーディオ信号の周波数特性を平坦に補正する。また、スペクトル分析器４４０は、左右スピーカー１８０、１８５を通じて左右マイク１９０、１９５に受音された広帯域信号に対するスペクトルを分析して、スピーカーと聴取者の両耳間の立体音響再生システム用伝達関数Ｃ１１（Ｚ）、Ｃ２１（Ｚ）、Ｃ１２（Ｚ）、Ｃ２２（Ｚ）を計算する。
【００２６】
図５は、図４の空間補正部１５０の空間補正のためのフローチャートである。
まず、広帯域信号及びインパルス信号を利用してスピーカー応答特性を測定する（５１０過程）。
次いで、左右スピーカーのインパルス応答を測定する（５２０過程）。
次いで、広域信号に対するスピーカー応答特性をＮ個のバンド別にバンドパスフィルタリングする（５３０過程）。
次いで、各バンド別周波数に対する平均エネルギーレベルを計算する（５４０過程）。
次いで、計算された平均エネルギーレベルを利用して各バンド別補正レベルを計算する（５５０過程）。
次いで、計算された各バンド別補正レベルを利用してバンド別ブーストフィルター係数を設定する（５６０過程）。
次いで、設定されたバンド別ブーストフィルター係数を適用して、ブーストフィルターをスピーカーインパルス応答に適用する（５７０過程）。
次いで、左右チャンネル間スピーカーインパルス信号に対するディレイ時間を測定する（５８０過程）。
次いで、チャンネル間ディレイ時間を利用して位相補正係数を設定する（５９０過程）。すなわち、チャンネル間ディレイ時間を調節して左右スピーカーで発生する時間差によるディレイを補正する。
【００２７】
図６は、本発明によるオーディオ再生システムの仮想音響制御方法を示すフローチャートである。
まず、それぞれのスピーカーを通じて広域信号及びインパルス信号を発生させ、左右マイクを通じて広域信号及びインパルス信号を受音した後に左右スピーカー間の音圧レベル及び信号ディレイを調節し、その音圧レベル及び信号ディレイを利用して周波数特性を平坦に補正するデジタルフィルター係数を設定する。また、２つのマイクから受音された信号を利用してスピーカーと聴取者の両側耳間の立体音響的伝達関数を計算して、クロストークキャンセルのための最適のトランスオーラルフィルター係数も設定する（６１０過程）。
次いで、ニア及びファーフィールドＨＲＴＦを利用して、マルチチャンネルのオーディオ信号を２チャンネルのオーディオ信号にダウンミックスする（６２０過程）。
次いで、ダウンミックスされたオーディオ信号は、クロストークを除去するために最適のトランスオーラルフィルター係数に基づいてデジタルフィルタリングされる（６３０過程）。
次いで、クロストークが除去されたオーディオ信号は、レベル及び位相補正フィルター係数を反映して空間的に補正される（６４０過程）。
結局、２チャンネルオーディオ信号は、クロストークキャンセル及び空間補正を通じて聴取者に現在の位置で最適のサラウンドサウンド効果を奏する。
【００２８】
図７は、図４の空間補正部を動作させた時の左右スピーカーのそれぞれの周波数特性を示したものである。図７を参照すれば、空間等化器をオンとした時、スピーカーの周波数特性が平坦になる。
本発明は前述した実施例に限定されず、本発明の思想内で当業者による変形が可能であるということは言うまでもない。
また本発明は、コンピュータ可読記録媒体にコンピュータ可読コードとして具現することができる。コンピュータ可読記録媒体は、コンピュータシステムによって読取られるデータが保存されるあらゆる種類の記録装置を含む。コンピュータ可読記録媒体の例としては、ＲＯＭ、ＲＡＭ、ＣＤ−ＲＯＭ、磁気テープ、ハードディスク、フロッピー(登録商標)ディスク、フラッシュメモリ、光データ保存装置などがあり、また、キャリアウェーブ（例えば、インターネットを通じた伝送）の形態に具現されるものも含む。また、コンピュータ可読記録媒体は、ネットワークに連結されたコンピュータシステムに分散され、分散方式でコンピュータ可読コードとして保存されかつ実行されうる。
【産業上の利用可能性】
【００２９】
本発明は、能動的にスイートスポット及びクロストークキャンセレーション調節が可能な２チャンネル仮想音響再生方法及びその装置に係り、一般的にオーディオ再生装置に適用できる。
【図面の簡単な説明】
【００３０】
【図１】本発明によるオーディオ再生システムのブロック図である。
【図２】図１のダウンミックス部の詳細図である。
【図３】図１のクロストークキャンセレーション部のトランスオーラルフィルター具現方法を示す図面である。
【図４】図１の空間補正部の詳細ブロック図である。
【図５】図４の空間補正部により行われる空間補正フローチャートである。
【図６】本発明によるオーディオ再生システムの仮想音響再生方法を示すフローチャートである。
【図７】空間等化器のオン／オフによるそれぞれの周波数特性を示す図面である。
【図８】スピーカー配置角度変化を示す図面である。
【符号の説明】
【００３１】
１００    仮想音響再生装置
１１０    ドルビプロロジックデコーダ
１２０    オーディオデコーダ
１３０    ダウンミックス部
１４０    クロストークキャンセレーション部
１５０    空間補正部
１６０    ＤＡＣ
１７０、１７５    左右アンプ部
１８０、１８５    左右スピーカー
１９０、１９５    左右マイク
【図１】
2005184837.tif 000007
【図２】
2005184837.tif 000008
【図３】
2005184837.tif 000009
【図４】
2005184837.tif 000010
【図５】
2005184837.tif 000011
【図６】
2005184837.tif 000012
【図７】
2005184837.tif 000013
【図８】
2005184837.tif 000014